(57)【要約】      （修正有）【課題】蓋を閉じたまま電子レンジで加熱することができるように、蓋の天板部に蒸気抜き用の切込み等の蒸気排気手段を設けた包装用容器の蓋において、切込により設けられる舌片が容器本体側に折れ曲がりにくくする。【解決手段】包装用容器の蓋の天板部２に切込３を設けることで舌片４を設けると共に、舌片自体あるいは舌片及び舌片の周辺部を湾曲形状や波形形状を呈するリブとする。舌片あるいは舌片及び舌片の周辺部に放射状、突起状、リング状等のリブを設ける。切込の両側に沿って湾曲したリブを設ける。【選択図】図１
0003138601.tif 000002
【実用新案登録請求の範囲】
【請求項１】
天板部２に切込３を設けることで舌片４を設けたこと、
舌片４自体を補強リブならしめたこと、
を特徴とする包装用容器の蓋。
【請求項２】
舌片４の横断面を湾曲形状となした請求項1記載の包装用容器の蓋。
【請求項３】
舌片の横断面を波形形状となした請求項１記載の包装用容器の蓋。
【請求項４】
天板部２に切込３を設けることで舌片４を設けたこと、
舌片４及び舌片４の周辺部５を補強リブならしめたこと、
を特徴とする包装用容器の蓋。
【請求項５】
舌片４及び舌片４の周辺部５の横断面を湾曲形状となした請求項５記載の包装用容器の蓋。
【請求項６】
舌片４及び舌片４の周辺部５の横断面を波形形状となした請求項５記載の包装用容器の蓋。
【請求項７】
天板部２に切込３を設けることで舌片４を設けたこと、
舌片４にリブ６を設けたこと、
を特徴とする包装用容器の蓋。
【請求項８】
舌片４に放射状のリブ６を設けた請求項７記載の包装用容器の蓋。
【請求項９】
舌片４に多数の突起状のリブ６を設けた請求項７記載の包装用容器の蓋。
【請求項１０】
舌片４に多数のリング状のリブ６を設けた請求項７記載の包装用容器の蓋。
【請求項１１】
天板部２に切込３を設けることで舌片４を設けたこと、
舌片４及び舌片４の周辺部５に、リブ６を設けたこと、
を特徴とする包装用容器の蓋。
【請求項１２】
舌片４及び舌片４の周辺部５に、放射状のリブ６を設けた請求項１１記載の包装用容器の蓋。
【請求項１３】
舌片４及び舌片４の周辺部５に、多数の突起状のリブ６を設けた請求項１１記載の包装用容器の蓋。
【請求項１４】
舌片４及び舌片４の周辺部５に、多数のリング状のリブ６を設けた請求項１１記載の包装用容器の蓋。
【請求項１５】
天板部２に切込３を設けることで舌片４を設けたこと、
切込３の片側あるいは両側に沿ってリブ６を設けたこと、
を特徴とする包装用容器の蓋。
【考案の詳細な説明】
【技術分野】
【０００１】
本考案は樹脂シートにより成形される包装用容器の蓋に関し、より詳しくは弁当、麺類、パスタなどの食品を収容する合成樹脂製の容器本体に被せて開口を閉じる合成樹脂製の蓋であり、電子レンジで加熱した際に食品から発生する蒸気を効率的に排気することが可能な包装用容器の蓋に関する。
【背景技術】
【０００２】
従来より、容器本体に弁当、麺類、パスタなどの食品を収容し、蓋を閉じたまま電子レンジで加熱することができるように、蓋の天板部に蒸気抜き用の切込み等の蒸気排気手段を設けた包装用容器が提供されている。
【０００３】
係る蒸気排気手段を設けた包装用容器に関し、例えば特許文献１乃至３に記載された技術が提案されている。
【０００４】
ここに実開平４−２９９７６号公報記載の考案は、不連続な環状切込線で切り出された舌片を蓋の天板部に設けて成るものであり、実公平８−８７３２号公報記載の考案は、蓋の天板部に２本の対向するスリットを設けて成るものであり、特開２００７−１９１１６１号公報記載の発明は、蓋の天板部に設けた舌片の両端縁を方向を変えて延長することで舌片が引き裂かれにくくしたものである。
【特許文献１】実開平４−２９９７６号公報
【特許文献２】実公平８−８７３２号公報
【特許文献３】特開２００７−１９１１６１号公報
【考案の開示】
【考案が解決しようとする課題】
【０００５】
蓋の天板部に切り込みを入れることで設けられた舌片は、軽く押さえるといったことで容易に容器本体側、すなわち食品が収容された側に折れ曲がってしまう。舌片がいったん食品が収容された側に折れ曲がってしまうと、レンジで加熱した際に発生する蒸気圧では押し返すことができない。かように舌片が食品が収納された側に折れ曲がると、蒸気の排出がうまく行われず食品のうえに水滴が過度にかかり食感が損なわれてしまう。
【０００６】
そこで本考案は、容易に容器本体側に折れ曲がらない舌片を有する包装用容器の蓋を提供することを目的とする。
【課題を解決するための手段】
【０００７】
上記課題を解決するために本考案は以下のように構成した。
【０００８】
請求項１の考案は天板部に切込を設けることで舌片を設けると共に、舌片自体を補強リブならしめた。この補強リブたる舌片の具体的形状として、請求項２記載の考案においては横断面が湾曲形状を呈するリブを採用し、請求項３記載の考案においては横断面が波形形状を呈するリブを採用した。
【０００９】
請求項４記載の考案においては天板部に切込を設けることで舌片を設けると共に、舌片及び舌片の周辺部を補強リブならしめた。この補強リブたる舌片及び舌片の周辺部の具体的形状として、請求項５記載の考案においては、横断面が湾曲形状を呈するリブを採用し、請求項６記載の考案においては横断面が波形形状を呈するリブを採用した。
【００１０】
請求項７記載の考案においては天板部に切込を設けることで舌片を設けると共に、舌片にリブを設けた。このリブの具体的形状として請求項８記載の考案においては放射状のリブを採用し、請求項９記載の考案においてはの多数の突起状のリブを採用し、請求項１０記載の考案においてはの多数のリング状のリブを採用した。
【００１１】
請求項１１記載の考案においては天板部に切込を設けることで舌片を設けると共に、舌片及び舌片の周辺部にリブを設けた。このリブの具体的形状として請求項１２記載の考案においては放射状のリブを採用し、請求項１３記載の考案においてはの多数の突起状のリブを採用し、請求項１４記載の考案においてはの多数のリング状のリブを採用した。
【００１２】
請求項１５記載の考案においては天板部に切込を設けることで舌片を設けると共に、切込の片側あるいは両側に沿ってリブを設けた。
【考案の効果】
【００１３】
以下、上述のように構成される本考案が如何にして課題を解決するかを図面を参照しながら述べる。
【００１４】
図１は本考案の斜視図であり、図２は請求項２記載の考案を示すＡ−Ａ線要部拡大断面図であり、図３は請求項２記載の考案を示すＢ−Ｂ線要部拡大断面図であり、図４は請求項３記載の考案を示すＡ−Ａ線要部拡大断面図であり、図５は請求項３記載の考案を示すＢ−Ｂ線要部拡大断面図であり、図６は請求項５記載の考案を示すＡ−Ａ線要部拡大断面図であり、図７は請求項５記載の考案を示すＢ−Ｂ線要部拡大断面図であり、図８は請求項６記載の考案を示すＡ−Ａ線要部拡大断面図であり、図９は請求項６記載の考案を示すＢ−Ｂ線要部拡大断面図であり、図１０は請求項８記載の考案の舌片部位の平面図であり、図１１は請求項８記載の考案の他の実施例における舌片部位の平面図であり、図１２は請求項９記載の考案の舌片部位の平面図であり、図１３は請求項１０記載の考案の舌片部位の平面図であり、図１４は請求項１２記載の考案の舌片部位の平面図であり、図１５は請求項１２記載の考案の他の実施例における舌片部位の平面図であり、図１６は請求項１３記載の考案の舌片部位の平面図であり、図１７は請求項１４記載の考案の舌片部位の平面図であり、図１８は請求項１５記載の考案を示すＡ−Ａ線要部拡大断面図であり、図１９は請求項１５記載の考案を示すＢ−Ｂ線要部拡大断面図である。
【００１５】
図１に示すように、本考案は蓋１の天板部２に切込３を設けることで舌片４を形成してある。この際請求項２記載の考案においては図２、図３に示すように舌片４を湾曲させ、請求項３記載の考案においては図４、図５に示すように舌片４を波形形状となし、請求項５記載の考案においては図６、図７に示すように舌片４及び舌片４の周縁部５を湾曲させ、請求項６記載の考案においては図８、図９に示すように舌片４及び舌片４の周縁部５を波形形状となしてある。
【００１６】
かように請求項２及び請求項５記載の考案においては、舌片４あるいは舌片４及び周縁部５自体が湾曲しており、係る形状ゆえに当該湾曲部がリブの働きをなすことになる。すなわち食品を収納した容器本体側に舌片４が折れ曲がることに対する抵抗となるものである。又請求項３及び請求項６記載の考案においては、舌片４あるいは舌片４及び周縁部５自体が波形形状をなしており、係る形状ゆえに当該湾曲部がリブの働きをなすことになる。すなわち食品を収納した容器本体側に舌片４が折れ曲がることに対する抵抗となるものである。
【００１７】
請求項７乃至請求項１０記載の考案においては舌片４にリブ６が設けてある。このリブ６により強度が増し、食品を収納した容器本体側に舌片４が折れ曲がることに対する抵抗となるものである。
【００１８】
請求項１１乃至請求項１４記載の考案においては舌片４及び舌片４の周辺部５にリブ６が設けてある。このリブ６により強度が増し、食品を収納した容器本体側に舌片４が折れ曲がることに対する抵抗となるものである。
【００１９】
請求項１５記載の考案においては図１８、図１９に示すように切込３の両縁に湾曲したリブ６を設けてある。このリブ６により強度が増し、食品を収納した容器本体側に舌片４が折れ曲がることに対する抵抗となるものである。
【００２０】
以上のように本考案によれば、容易に容器本体側に折れ曲がらない舌片を有する包装用容器の蓋を提供することが可能となるものである。
【考案を実施するための最良の形態】
【００２１】
以下、本考案の好ましい一実施形態につき概説する。
【００２２】
本考案の包装容器の蓋は、熱可塑性樹脂シート、熱可塑性樹脂フィルム同士の積層シートあるいは熱可塑性樹脂フィルムと金属箔との積層シート等の熱可塑性樹脂材料を用い、好ましくは真空成形、真空・圧空成形あるいは熱盤成形等のプレス成形法により製造される。
【００２３】
蓋１の種類は、容器本体の開口に被せる外嵌合蓋、被せ蓋、内嵌合蓋、内外嵌合蓋のいずれであってもよい。又、蓋と容器本体は、別体であってもヒンジ部を介して互いに連結していてもよい。蓋１の平面形状は、被せる容器本体の形状に合わせて、円形、楕円形、正方形、長方形等種々の形状をとり得る。又、蓋１の天板部２の周縁に設けられた嵌合部７の形状も、図示のもの以外に容器本体に嵌合可能な形態であれば種々の形状をとり得る。
【００２４】
蓋１は、天板部２とその周縁に設けられた嵌合部７とを有し、天板部２には切込３が設けてある。この切込３は天板部２とつながる連結部８を残して略長円状に設けられ、先端が円弧の短冊状をなす舌片４が形成されることになる。連結部８は舌片４のヒンジの役目を果たすものである。切込３の形状、つまりは舌片４の形状は図示されたものに限定されるものではなく、円弧状、三角形状、長方形状その他多角形状等様々な態様に形成できるものである。切込３は成形時に設けてもよいし、成形後にトムソン刃で打ち抜くといった方法で設けてもよい。舌片４の個数は１個に限定を受けるものではなく、複数個設けうるものである。
【００２５】
請求項２においては図２、図３に示すように舌片４を湾曲した形状に成形してあり、請求項５記載の考案においては図６、図７に示すように舌片４及び舌片４の周辺部５を湾曲した形状に成形してある。湾曲させる方向は図示されるように上方に限定されず、下方すなわち容器本体側に湾曲させてもかまわない。
【００２６】
請求項３においては図４、図５に示すように舌片４を波形形状に成形してあり、請求項６記載の考案においては図８、図９に示すように舌片４及び舌片４の周辺部５を波形形状に成形してある。
【００２７】
請求項８記載の考案においては図１０、図１１に示すように舌片４に放射状のリブ６を設けてある。リブ６を突起させる方向は上方、下方(容器本体側）どちらでも構わない。
【００２８】
請求項９記載の考案においては図１２に示すように舌片４に多数の突起状のリブ６を設けてある。リブ６を突起させる方向は上方、下方(容器本体側）どちらでも構わない。この突起状のリブ６は金型にローレット加工や絞模様加工を施すことで形成可能なものである。
【００２９】
請求項１０記載の考案においては図１３に示すように舌片４に多数のリング状のリブ６を設けてある。リブ６を突起させる方向は上方、下方(容器本体側）どちらでも構わない。
【００３０】
請求項１２記載の考案においては図１４、図１５に示すように舌片４及び舌片４の周辺部５に放射状のリブ６を設けてある。リブ６を突起させる方向は上方、下方(容器本体側）どちらでも構わない。
【００３１】
請求項１３記載の考案においては図１６に示すように舌片４及び舌片４の周辺部５に多数の突起状のリブ６を設けてある。リブ６を突起させる方向は上方、下方(容器本体側）どちらでも構わない。この突起状のリブ６は金型にローレット加工や絞模様加工を施すことで形成可能なものである。
【００３２】
請求項１４記載の考案においては図１７に示すように舌片４及び舌片４の周辺部５に多数のリング状のリブ６を設けてある。リブ６を突起させる方向は上方、下方(容器本体側）どちらでも構わない。
【００３３】
請求項１５記載の考案においては、切込３の両側に沿って湾曲した形状に成形しリブ６を設けてある。リブ６を突起させる方向は上方、下方(容器本体側）どちらでも構わない。リブ６は切込３の全周にわたって設けてもよいし、一部にのみ設けてもよい。但し、一部にのみ設ける場合であっても、切込３の両端部すなわち始点と終点付近にはリブ６を設ける必要がある。
【実施例】
【００３４】
本考案は例えば即席焼きそばやスパゲッティなどのように、注湯後に湯切りして調理される即席食品の包装材として使用される湯切り蓋にも応用可能なものである。
【００３５】
たとえば、即席食品として袋入り生麺、調味料、かやく類等が収納された容器は、まず容器本体から樹脂製蓋を外して、包装袋に収容された生麺、調味料、かやく類等を取り出す。次に包装袋を開封して取り出した生麺を容器本体に戻して熱湯を注湯すると共に、生麺をほぐして後に、再度蓋をして所定時間湯通しし、次に蓋に設けられた舌片を起こして通孔を確保して後、容器を傾けて湯を通孔から排出して湯切りを行う。後、再度蓋を外して湯通しした麺上に包装袋を開封して調味料等を投入し食していた。
【００３６】
係る場合にも舌片が容器本体側に折れ曲がってしまうと、湯きりがうまく行えない恐れがある。そこで本考案を湯きり口たる舌片に利用すれば、上述のごとく容器本体側に舌片が折れ曲がりにくいがゆえに効率的に湯きりが行えることになるのである。
【図面の簡単な説明】
【００３７】
【図１】本考案の斜視図。
【図２】請求項２記載の考案を示すＡ−Ａ線要部拡大断面図。
【図３】請求項２記載の考案を示すＢ−Ｂ線要部拡大断面図。
【図４】請求項３記載の考案を示すＡ−Ａ線要部拡大断面図。
【図５】請求項３記載の考案を示すＢ−Ｂ線要部拡大断面図。
【図６】請求項５記載の考案を示すＡ−Ａ線要部拡大断面図。
【図７】請求項５記載の考案を示すＢ−Ｂ線要部拡大断面図。
【図８】請求項６記載の考案を示すＡ−Ａ線要部拡大断面図。
【図９】請求項６記載の考案を示すＢ−Ｂ線要部拡大断面図。
【図１０】請求項８記載の考案の舌片部位の平面図。
【図１１】請求項８記載の考案の他の実施例における舌片部位の平面図。
【図１２】請求項９記載の考案の舌片部位の平面図。
【図１３】請求項１０記載の考案の舌片部位の平面図。
【図１４】請求項１２記載の考案の舌片部位の平面図。
【図１５】請求項１２記載の考案の他の実施例における舌片部位の平面図。
【図１６】請求項１３記載の考案の舌片部位の平面図。
【図１７】請求項１４記載の考案の舌片部位の平面図。
【図１８】請求項１５記載の考案を示すＡ−Ａ線要部拡大断面図。
【図１９】請求項１５記載の考案を示すＢ−Ｂ線要部拡大断面図。
【符号の説明】
【００３８】
２・・天板部
３・・切込
４・・舌片
５・・周辺部
６・・リブ
【図１】
0003138601.tif 000003
【図２】
0003138601.tif 000004
【図３】
0003138601.tif 000005
【図４】
0003138601.tif 000006
【図５】
0003138601.tif 000007
【図６】
0003138601.tif 000008
【図７】
0003138601.tif 000009
【図８】
0003138601.tif 000010
【図９】
0003138601.tif 000011
【図１０】
0003138601.tif 000012
【図１１】
0003138601.tif 000013
【図１２】
0003138601.tif 000014
【図１３】
0003138601.tif 000015
【図１４】
0003138601.tif 000016
【図１５】
0003138601.tif 000017
【図１６】
0003138601.tif 000018
【図１７】
0003138601.tif 000019
【図１８】
0003138601.tif 000020
【図１９】
0003138601.tif 000021